(57)【特許請求の範囲】
【請求項１】
第１分割部材と第２分割部材に分離可能に設けられるハウジングを備える水栓部品であって、前記第１分割部材及び前記第２分割部材は、互いにスライドすることにより、スライド方向と異なる方向に分離可能な分離可能位置と、前記異なる方向に分離不能な分離不能位置との間を相対移動可能に構成される水栓部品と、
前記第１分割部材が着脱可能に取り付けられるベースと、を備え、
前記第２分割部材は、前記ベースに対して前記第１分割部材が取付状態にあるとき、前記分離不能位置から前記分離可能位置へのスライドが他部材との係合によりロックされることを特徴とする水栓部品の取付構造。
【請求項２】
前記第１分割部材と前記第２分割部材との間には空洞部が形成され、
前記空洞部内から引き出される配線が接続され、前記空洞部内に配置される電子部品を備える請求項１に記載の水栓部品の取付構造。
【請求項３】
前記第１分割部材と前記第２分割部材とは、互いの内面を第１方向に対向して配置され、
前記第１分割部材は、前記第２分割部材の一部を前記スライド方向に沿ってスライドさせる複数のスライドガイド部を有し、
前記スライド方向から見て前記第１方向と直交する方向を第２方向としたとき、前記複数のスライドガイド部は、前記第１分割部材の第２方向の両側部に設けられる請求項１又は２に記載の水栓部品の取付構造。
【請求項４】
前記第１分割部材は、前記第２分割部材の一部を前記スライド方向に沿ってスライドさせるスライドガイド部を有し、
前記スライドガイド部は、前記スライド方向に複数設けられる請求項１から３のいずれかに記載の水栓部品の取付構造。
【発明の詳細な説明】
【技術分野】
【０００１】
本発明は、水栓装置に用いられる水栓部品と、これを用いた水栓部品の取付構造とに関する。
【背景技術】
【０００２】
洗面化粧室、浴室、キッチン等に設置される水栓装置は、吐水ヘッド、吐水管等の複数の水栓部品を組み合わせて構成される。この水栓部品の外殻となるハウジングは、複雑な内部形状の成形のし易さや、種々の内部部品の搭載のし易さ等の理由から、複数に分割して取り扱うことがある。
【０００３】
たとえば、特許文献１には、ハウジングとなる吐水管を筒状の吐水部材とカバーとに分割した吐水装置が開示されている。この吐水装置では、吐水部材とカバーとがビスを用いて組み立てられている。
【先行技術文献】
【特許文献】
【０００４】
【特許文献１】特開２０１３−９６１４６号公報
【発明の概要】
【発明が解決しようとする課題】
【０００５】
特許文献１のように、ハウジングの組み立てにビスを用いる場合、ドライバー等のビス用工具を要するうえ、ビスの締め付け量の管理が求められる。よって、ハウジングの組み立てに手間がかかるため、その改善が求められる。
【０００６】
本発明は、このような課題に鑑みてなされ、その目的は、水栓部品のハウジングを複数部材に分割した場合に、ハウジングを簡易に組み立てられる技術を提供することにある。
【課題を解決するための手段】
【０００７】
本発明のある態様は水栓部品である。第１態様の水栓部品は、第１分割部材と第２分割部材とに分離可能に設けられるハウジングを備え、前記第１分割部材及び前記第２分割部材は、互いにスライドすることにより、スライド方向と異なる方向に分離可能な分離可能位置と、前記異なる方向に分離不能な分離不能位置との間を相対移動可能に構成される。
【０００８】
第１態様の水栓部品によれば、第１分割部材と第２分割部材を順序よく動かすだけでハウジングを組み立てることができる。従って、ハウジングの組み立てにビスを用いる場合と比べて、ハウジングを簡易に組み立てられる。
【発明の効果】
【０００９】
本発明によれば、水栓部品のハウジングを複数部材に分割した場合でも、ハウジングを簡易に組み立てられる。
【図面の簡単な説明】
【００１０】
【図１】実施形態の水栓装置が用いられる洗面台を示す斜視図である。
【図２】実施形態の水栓装置の制御系と水路系を示す構成図である。
【図３】実施形態の水栓装置の側面断面図である。
【図４】実施形態の吐水装置の斜視図である。
【図５】実施形態の吐水装置の分解斜視図である。
【図６】実施形態の吐水装置の側面断面図である。
【図７】図６のＡ−Ａ線断面図である。
【図８】図７のＢ−Ｂ線に沿って切断したハウジングの断面図である。
【図９】実施形態の下カバーを斜め上側から見た斜視図である。
【図１０】実施形態の上カバーを斜め下側から見た斜視図である。
【図１１】実施形態の下カバーの上面図である。
【図１２】実施形態の下カバー及び上カバーが図８の位置関係からスライド方向に相対移動した状態を示す図である。
【図１３】図３のＣ−Ｃ線断面図である。
【図１４】実施形態の下カバーにセンサ部材や押さえ部材を取り付けた状態を示す上面図である。
【図１５】図６のＤ−Ｄ線断面図である。
【図１６】図６のＥ−Ｅ線に沿って切断した下カバー及び押さえ部材の断面図である。
【図１７】実施形態の上カバーに表示部材が取り付けられた状態を示す側面断面図である。
【図１８】実施形態のヘッドカバーから上カバーを省略した状態を示す上面図である。
【図１９】図６のＦ−Ｆ線断面図である。
【図２０】図６のＧ−Ｇ線端面図である。
【発明を実施するための形態】
【００１１】
以下、実施形態、変形例では、同一の構成要素に同一の符号を付し、重複する説明を省略する。また、各図面では、説明の便宜のため、構成要素の一部を適宜省略したり、構成要素の寸法を適宜拡大、縮小して示す。
【００１２】
図１は本実施形態の水栓装置１０が用いられる洗面台１００を示す斜視図である。
洗面台１００は水栓装置１０の設置相手となる機器であり、主に、洗面ボウル１０２と、洗面ボウル１０２に対して上側に配置されるキャビネット１０４とを備える。洗面台１００には洗面ボウル１０２の上方に設置面としてバックガード１０６が設けられ、水栓装置１０はそのバックガード１０６に設置される。水栓装置１０は洗面ボウル１０２に吐水する吐水装置１２を備える。本実施形態の水栓装置１０は吐水装置１２に主な特徴があるが、先に周辺構造から説明する。
【００１３】
図２は水栓装置１０の制御系と水路系を示す構成図である。
水栓装置１０は、吐水装置１２と、弁ユニット１４と、吐水装置１２と弁ユニット１４とを接続する給水路１６と、吐水装置１２の動作状態を操作するためのレバー１８（図１も参照）とを備える。また、水栓装置１０は、吐水装置１２の近傍の被検知物を検知するためのセンサ部材２０と、吐水装置１２の動作状態を表示するための表示部材２２と、吐水装置１２や表示部材２２の動作を制御する制御ユニット２４（制御部）とを備える。水栓装置１０は、レバー１８を手動操作することで吐水装置１２から吐水される手動吐水状態と、制御ユニット２４による制御のもとで吐水装置１２から吐水される自動吐水状態とを取り得る。
【００１４】
弁ユニット１４は湯水混合弁として機能する。弁ユニット１４は、温水管２６から供給される温水と、冷水管２８から供給される冷水との混合比を調整のうえ、給水路１６の手動吐水用水路１６ａ及び自動吐水用水路１６ｂ（後述する）のそれぞれに送水する。
【００１５】
給水路１６は、手動吐水状態にある間に水が流れる手動吐水用水路１６ａと、自動吐水状態にある間に水が流れる自動吐水用水路１６ｂと、手動吐水用水路１６ａと自動吐水用水路１６ｂを通る水が流れ込む共通水路１６ｃとを含む。自動吐水用水路１６ｂには、制御ユニット２４による制御のもとで自動吐水用水路１６ｂを開閉する電磁弁、電動弁等の電気駆動弁３０が設置される。自動吐水用水路１６ｂが電気駆動弁３０により開閉されると、吐水装置１２に対する給水の有無が切り替えられ、吐水装置１２の動作状態が自動吐水状態と止水状態との間で切り替えられる。
【００１６】
レバー１８は、吐水装置１２から吐水される水の流量と温度を調整可能な、いわゆるシングルレバーとして機能する。レバー１８は、洗面台１００のバックガード１０６に対して、左右方向に回動自在かつ前後方向に傾動自在に設置される。レバー１８を手動により傾動させることで、弁ユニット１４から手動吐水用水路１６ａへの送水の有無が切り替えられる。これにより、吐水装置１２に対する給水の有無が切り替えられ、吐水装置１２の動作状態が手動吐水状態と止水状態との間で切り替えられる。吐水装置１２が手動吐水状態にあるとき、弁ユニット１４はレバー１８の傾動量に応じた流量の水を送水する。また、レバー１８を手動により回動させることで、弁ユニット１４から自動吐水用水路１６ｂ及び手動吐水用水路１６ａのそれぞれに送水される水の温度が調整される。
【００１７】
センサ部材２０は、センサケースの内部にセンサ素子を収容して構成される。センサ部材２０は、たとえば、非接触式センサとしての赤外線式測距センサである。
【００１８】
表示部材２２は、たとえば、光源ケースの内部に複数の光源を収容して構成される。複数の光源のそれぞれは別々の発光色を呈する。表示部材２２は、光源の発光の有無や発光色の違いにより、自動吐水状態、手動吐水状態等の動作状態を表示する。
【００１９】
制御ユニット２４はマイクロコンピュータ等であり、回路基板、ＩＣチップ等を組み合わせて構成される。制御ユニット２４はセンサ部材２０、表示部材２２、電気駆動弁３０等の電気系統を統括的に制御する機能をもつ。
【００２０】
図３は水栓装置１０の側面断面図である。
水栓装置１０は、バックガード１０６にビス等により固定され、吐水装置１２が着脱可能に取り付けられるベースフレーム３２と、ベースフレーム３２に取り付けられるとともにベースフレーム３２を覆う外装カバー３４（図１も参照）とを備える。
【００２１】
ベースフレーム３２は吐水装置１２の取付相手となるベースである。ベースフレーム３２は、洗面台１００のバックガード１０６から正面側に突き出る支持面部３２ａと、支持面部３２ａに形成される有底筒状の挿入孔３２ｂとを有する。挿入孔３２ｂの底部には、給水ホース４０（後述する）が挿通されるホース孔３２ｃと、複数の配線５０、５２（後述する）が挿通される配線孔３２ｄとが形成される。吐水装置１２の一部は挿入孔３２ｂの開口側から底側に向けて挿入される。吐水装置１２は、後述のように、クリップ６６や弾性爪４２ｃを用いて、ベースフレーム３２に留められる。
【００２２】
図４は吐水装置１２の斜視図である。図５は吐水装置１２の分解斜視図である。図６は吐水装置１２の側面断面図である。図６では配線５０、５２を中心軸線のみ示す。
吐水装置１２は、ベースフレーム３２に取り付けられるとともにホース挿通孔３６ａが形成されるヘッドホルダー３６と、ヘッドホルダー３６に着脱可能に保持される吐水ヘッド３８と、吐水ヘッド３８に接続されるとともにホース挿通孔３６ａに対して出し入れ可能な給水ホース４０とを備える。
【００２３】
吐水ヘッド３８は、給水ホース４０の接続位置とは反対側である先端側に吐水口３８ａが設けられる。吐水ヘッド３８の内部には不図示の通水路が形成される。図６中の矢印Ａは通水路を通る水の通水方向を示す。吐水ヘッド３８は、給水ホース４０から通水路を通して供給される水を吐水口３８ａから吐水可能である。
【００２４】
給水ホース４０は、可撓性をもつ素材により構成される。給水ホース４０の内部には、前述の共通水路１６ｃの一部が形成される。
【００２５】
ヘッドホルダー３６は水栓装置１０の一部を構成する水栓部品となる。ヘッドホルダー３６は、ハウジング４２と、ハウジング４２の空洞部５８（後述する）内に配置されるセンサ部材２０、表示部材２２及び押さえ部材４４とを備える。ハウジング４２は下カバー４６と上カバー４８とに分離可能に設けられる。図６に示すように、センサ部材２０には複数の第１配線５０（図６では単数のみ示す）が接続され、表示部材２２には第２配線５２が接続される。押さえ部材４４は、ハウジング４２の空洞部５８の内面との間で第１配線５０を挟んだ状態で保持される。下カバー４６には第１配線５０を保持する第１保持孔５４が形成され、上カバー４８には第２配線５２を保持する第２保持孔５６が形成される。本実施形態のヘッドホルダー３６は、大きく分けて、（１）ハウジング４２、（２）ヘッドホルダー３６の内部部材（センサ部材２０、表示部材２２及び押さえ部材４４）、（３）第１保持孔５４及び第２保持孔５６の点に特徴がある。以下、これらを順に説明する。
【００２６】
（ハウジング）
ハウジング４２はヘッドホルダー３６の外殻を構成する。ハウジング４２は外部に露出して用いられるヘッドホルダー３６の外装体を構成しているともいえる。ハウジング４２は、ハウジング４２を二つに分割した形状をもつ第１分割部材としての下カバー４６と、第２分割部材としての上カバー４８とを有する。下カバー４６と上カバー４８のそれぞれは樹脂等を素材とする一体成形品である。
【００２７】
図７は図６のＡ−Ａ線断面図である。
図６、図７に示すように、下カバー４６と上カバー４８とは互いの内面を上下方向Ｙ（第１方向）に対向して配置される。ハウジング４２の下カバー４６と上カバー４８との間には前後方向Ｘに沿って延在する筒状断面の空洞部５８が形成される。下カバー４６及び上カバー４８は、詳細は後述するが、前後方向Ｘに沿って互いにスライド可能に設けられる。以下、前後方向Ｘから見て上下方向Ｙと直交する方向を左右方向Ｚ（第２方向）とする。ここでの前後方向Ｘ、上下方向Ｙ、左右方向Ｚはヘッドホルダー３６を基準として定まる互いに直交する方向をいい、鉛直軸、水平軸とは無関係に定められる。前後方向Ｘは、下カバー４６に対する上カバー４８のスライド方向でもある。
【００２８】
図５、図６に示すように、ハウジング４２は、ハウジング４２の空洞部５８に対して上下方向Ｙの一方側である下側に形成されるホース挿通部４２ａを備える。ホース挿通部４２ａは前後方向Ｘに沿って延びる筒状をなし、その内側には給水ホース４０が挿通されるホース挿通孔３６ａが形成される。
【００２９】
ホース挿通部４２ａの前部にはヘッドガイド部４２ｂが設けられ、吐水ヘッド３８には給水ホース４０の接続位置側にある基端部に筒状の被ガイド部３８ｂが設けられる。吐水ヘッド３８の被ガイド部３８ｂ内にはヘッドガイド部４２ｂが差し込まれる。ヘッドガイド部４２ｂは、ヘッドホルダー３６に対して吐水ヘッド３８を着脱するときに吐水ヘッド３８を前後方向Ｘに沿ってガイドする。吐水ヘッド３８の被ガイド部３８ｂには弾性的に撓み変形可能な弾性爪３８ｃが形成される。吐水ヘッド３８は、ヘッドガイド部４２ｂの一部に対する弾性爪３８ｃの係合により、ヘッドホルダー３６に対する位置が保持される。
【００３０】
図８は図７のＢ−Ｂ線に沿って切断したハウジング４２の断面図である。
ハウジング４２の空洞部５８は、ハウジング４２のホース挿通部４２ａより前後方向Ｘの一方側である前側に突出する形状である。
【００３１】
図９は下カバー４６を斜め上側から見た斜視図であり、図１０は上カバー４８の斜め下側から見た斜視図である。
図７、図９、図１０に示すように、ハウジング４２は、空洞部５８の前面を画定する前壁部５８ａと、空洞部５８の少なくとも上面を画定する上壁部５８ｂと、空洞部５８の下面を画定する下壁部５８ｃと、空洞部５８の後面を画定する後壁部５８ｄとを有する。前壁部５８ａ及び下壁部５８ｃは下カバー４６により構成される。上壁部５８ｂ及び後壁部５８ｄは上カバー４８により構成される。上壁部５８ｂは下向きに開放する円弧状に形成され、空洞部５８の左右両側面も画定している。上壁部５８ｂと下壁部５８ｃとにより前後方向Ｘに沿って延在する筒状断面が形成される。
【００３２】
図７、図８、図１０に示すように、上カバー４８は、上壁部５８ｂから内側に突出するスライド部６０を有する。スライド部６０は前後方向Ｘに沿って延びる突条である。スライド部６０は上壁部５８ｂの左右方向Ｚの両側部それぞれに複数形成される。
【００３３】
図１１は下カバー４６の上面図である。
図７、図８、図１１に示すように、下カバー４６の下壁部５８ｃは、上カバー４８の一部となるスライド部６０をスライド方向Ｘに沿ってスライドさせるスライドガイド部６２を有する。スライドガイド部６２は、複数のスライド部６０のそれぞれに一対一に対応して複数設けられる。スライドガイド部６２は、複数のスライド部６０のそれぞれに対応して、下カバー４６の左右方向Ｚの両側部に複数設けられるとともに、前後方向Ｘに複数設けられることになる。図８では一つのスライドガイド部６２の設けられる前後方向Ｘでの範囲を示す。
【００３４】
図７、図８に示すように、スライドガイド部６２は、スライド部６０に対して下側に設けられる第１ガイド面６２ａと、スライド部６０に対して左右方向Ｚの一方側に設けられる第２ガイド面６２ｂと、スライド部６０に対して上側に設けられる第３ガイド面６２ｃとを有する。スライドガイド部６２は、第１ガイド面６２ａ、第２ガイド面６２ｂ及び第３ガイド面６２ｃにより画定されるガイド溝６２ｄを有する。ガイド溝６２ｄは前後方向Ｘに沿って延びるとともに、左右方向Ｚの一方側に向かって開放する。下カバー４６の左右方向Ｚ両側の別々のスライドガイド部６２のガイド溝６２ｄは、互いに左右方向Ｚの逆側に離れる方向に開放する。
【００３５】
第１ガイド面６２ａは、下壁部５８ｃの上面により構成される。第１ガイド面６２ａは、前後方向Ｘに隣接する他のスライドガイド部６２の第１ガイド面６２ａと連なるように形成される。第２ガイド面６２ｂは、下カバー４６の下壁部５８ｃから立設する縦壁部５８ｅの横側面により構成される。第２ガイド面６２ｂは、前後方向Ｘに隣接する他のスライドガイド部６２の第２ガイド面６２ｂと連なるように形成される。第３ガイド面６２ｃは、縦壁部５８ｅの先端部から左右方向Ｚの一方側に向けて突出する横壁部５８ｆの下面により構成される。第３ガイド面６２ｃは、第１ガイド面６２ａ及び第２ガイド面６２ｂより前後寸法が短くなるように形成される。
【００３６】
上カバー４８のスライド部６０は下カバー４６のスライドガイド部６２のガイド溝６２ｄ内に配置される。スライド部６０は、スライドガイド部６２のガイド溝６２ｄに沿ってスライドする。これにより、上カバー４８は下カバー４６に対してスライド方向Ｘ（前後方向）に沿ってスライド可能に設けられる。
【００３７】
図８に示すように、スライドガイド部６２のガイド溝６２ｄ内にスライド部６０が配置されている場合を考える。この場合、上カバー４８は、下カバー４６に対して上側に変位しようとすると、スライドガイド部６２の第３ガイド面６２ｃとスライド部６０との当接により、下カバー４６から分離不能となる。以下、下カバー４６及び上カバー４８がスライド方向Ｘと異なる方向（本例では上下方向Ｙ）に分離不能な位置を分離不能位置という。
【００３８】
図１２は下カバー４６及び上カバー４８が図８の位置関係からスライド方向Ｘに相対移動した状態を示す図である。
図１２に示すように、スライドガイド部６２のガイド溝６２ｄ内にスライド部６０が配置されておらず、スライドガイド部６２の第１ガイド面６２ａにスライド部６０が接触している場合を考える。この場合、上カバー４８は、下カバー４６に対して上側に変位しようとすると、スライドガイド部６２の第３ガイド面６２ｃとスライド部６０とが当接せず、下カバー４６から分離可能となる。以下、下カバー４６及び上カバー４８がスライド方向Ｘと異なる方向（上下方向Ｙ）に分離可能な位置を分離可能位置という。
【００３９】
このように上カバー４８は、下カバー４６に対してスライドすることにより、分離可能位置と分離不能位置との間で移動可能である。上カバー４８及び下カバー４６は、互いにスライドすることにより、分離可能位置と分離不能位置との間を相対移動可能に構成されているともいえる。
【００４０】
図６、図８、図９に示すように、下カバー４６は、上カバー４８の後壁部５８ｄに対して前側に配置される第１ストッパ部４６ａを有する。第１ストッパ部４６ａは下カバー４６の下壁部５８ｃから上側に突出する凸部である。第１ストッパ部４６ａは、上カバー４８の後壁部５８ｄとの係合により、下カバー４６に対する上カバー４８のスライド範囲の前端位置を規定する。上カバー４８がスライド範囲の少なくとも前端位置にあるとき、下カバー４６及び上カバー４８は分離不能位置にある。
【００４１】
図９、図１２に示すように、下カバー４６は、上カバー４８の後壁部５８ｄに対して後側に配置される第２ストッパ部４６ｂを有する。第２ストッパ部４６ｂは、ハウジング４２の空洞部５８より後側において、下カバー４６の上側に面する箇所から上側に突出する凸部である。第２ストッパ部４６ｂは、上カバー４８の後壁部５８ｄとの係合により、下カバー４６に対する上カバー４８のスライド範囲の後端位置を規定する。上カバー４８がスライド範囲の少なくとも後端位置にあるとき、下カバー４６及び上カバー４８は分離可能位置にある。なお、第２ストッパ部４６ｂは、後述する第１保持壁部７４でもある。
【００４２】
以上のハウジング４２の組み立て手順を説明する。
まず、分離している下カバー４６及び上カバー４８を少なくとも上下方向Ｙに相対移動させることで分離可能位置まで動かす（図１２参照）。この後、各カバー４６、４８をスライド方向Ｘにスライドさせて分離不能位置まで動かすことで、ハウジング４２の組み立てが完了する（図８参照）。これにより、各カバー４６、４８を分離不能位置から分離可能位置まで動かさない限り、両者を分離できない仮止め状態を簡易に作り出せる。
【００４３】
次に、ハウジング４２の分解手順を説明する。
まず、各カバー４６、４８をスライド方向Ｘにスライドさせることで分離不能位置から分離可能位置まで動かす（図１２参照）。この後、各カバー４６、４８を上下方向Ｙに相対移動させて分離させることで、ハウジング４２の分解が完了する。
【００４４】
以上のように、本実施形態のヘッドホルダー３６によれば、各カバー４６、４８を順序よく動かすだけでハウジング４２の組み立て作業が完了する。従って、ハウジング４２の組み立てにビスを用いる場合と比べて、ハウジング４２を簡易に組み立てられる。
【００４５】
また、各カバー４６、４８を順序よく動かすだけでハウジング４２の分解作業が完了する。従って、ハウジング４２の組み立てにビスを用いる場合と比べて、ハウジング４２を簡易に分解でき、ハウジング４２の組み直しも容易となる。
【００４６】
また、ハウジング４２の組み立てにスナップフィット用の弾性爪を用いる場合、ハウジング４２を分解するとき、他部材との係合を解除するため、弾性爪を動かす必要がある。弾性爪は、通常、指先が届きにくい奥まった箇所で他部材と係合しており、弾性爪の係合を解除するために工具を要する。この点、本実施形態によれば、ハウジング４２の分解に工具が不要なため、ハウジング４２の組み立てに弾性爪を用いる場合と比べても、ハウジング４２を簡易に分解でき、ハウジング４２の組み直しも容易となる。
【００４７】
また、ハウジング４２の組み立てにビスや弾性爪が不要なため、ビスの着け外しに伴うハウジング４２の摩耗や、弾性爪の繰り返しの使用に伴う劣化を防止でき、ハウジング４２の耐久性を高め易くなる。
【００４８】
また、下カバー４６及び上カバー４８は、互いにスライドすることにより分離可能位置と分離不能位置との間を相対移動する構成である。よって、ハウジング４２の組み立てに弾性爪を用いる場合と比べて、下カバー４６と上カバー４８との接触面積を確保し易くなり、下カバー４６と上カバー４８との固定度を高められる。
【００４９】
また、スライドガイド部６２は下カバー４６の左右方向の両側部に設けられるため、下カバー４６と上カバー４８との間でのスライド方向Ｘ軸周りのガタつきを抑え易くなり、下カバー４６と上カバー４８との固定度を高められる。
【００５０】
また、仮に、スライドガイド部６２がスライド方向Ｘに一つしかない場合、スライドガイド部６２とスライド部６０とのスライド方向Ｘでの接触面積を大きくしようとすると、分離可能位置から分離不能位置までのスライド距離が長くなる。この点、本実施形態のスライドガイド部６２はスライド方向Ｘに複数設けられるため、下カバー４６及び上カバー４８の分離可能位置から分離不能位置までのスライド距離を短くしつつ、スライドガイド部６２とスライド部６０とのスライド方向Ｘでの接触面積を確保し易くなる。よって、下カバー４６及び上カバー４８のスライド距離を短くすることにより組み立て時、組み直し時の作業性を高めつつ、下カバー４６と上カバー４８との接触面積の確保により、下カバー４６と上カバー４８との固定度を高められる。
【００５１】
また、ヘッドホルダー３６は、後述するが、ハウジング４２の空洞部５８内から引き出される第１配線５０や第２配線５２が接続されるセンサ部材２０や表示部材２２を備える構造である。このような構造の場合、ハウジング４２を組み立てるときに、下カバー４６と上カバー４８との間に各配線５０、５２が噛み込まれる恐れがある。
【００５２】
仮に、ハウジング４２の組み立てにビスを用いる場合、下カバー４６と上カバー４８との間での配線５０、５２が噛み込まれても、そのことに気づかずにビスを締結できるケースがある。また、ハウジング４２の組み立てに弾性爪を用いる場合も、下カバー４６と上カバー４８との間に配線５０、５２が噛み込まれても、そのことに気づかずに弾性爪を他部材に係合させることができるケースがある。
【００５３】
この点、本実施形態のヘッドホルダー３６によれば、下カバー４６と上カバー４８との間に配線５０、５２が噛み込まれた場合、これらを分離可能位置から分離不能位置にスライドさせるときに、配線５０、５２が抵抗となることで配線５０、５２の噛み込みに気づき易い。よって、下カバー４６と上カバー４８との間に配線５０、５２が噛み込まれたまま、ハウジング４２が誤って組み立てられてしまう事態を防止できる。
【００５４】
本実施形態は、ヘッドホルダー３６をベースフレーム３２に取り付けるための取付構造６４の点で、以下の特徴がある。図３、図５に示すように、下カバー４６の後端部はベースフレーム３２の挿入孔３２ｂ内に挿入される。下カバー４６のホース挿通部４２ａには弾性爪４２ｃが形成される。弾性爪４２ｃは、ヘッドホルダー３６の後端部を挿入孔３２ｂ内に挿入するとき、弾性的に撓み変形可能であり、かつ、挿入孔３２ｂの一部と係合可能な位置に復帰する。下カバー４６は、挿入孔３２ｂの一部と弾性爪４２ｃとの係合により、挿入孔３２ｂからの抜けが規制される。
【００５５】
図１３は図３のＣ−Ｃ線断面図である。本図では給水ホース４０等を省略する。
図８、図１１、図１３に示すように、下カバー４６の後端部には上側に面する箇所に被挟持部４６ｃが設けられる。ベースフレーム３２には挿入孔３２ｂに連通するクリップ孔３２ｅが形成され、クリップ孔３２ｅにはクリップ６６が差し込まれる。クリップ６６は下カバー４６の被挟持部４６ｃを挟み込むように配置される一対の弾性腕６６ａを有する。一対の弾性腕６６ａは、拡径するように弾性変形した状態であり、復元力により下カバー４６の被挟持部４６ｃを挟持する。これにより、クリップ６６は下カバー４６に着脱可能に取り付けられる。
【００５６】
下カバー４６は被挟持部４６ｃに対して前後方向Ｘの両側に設けられる二つの変位規制部４６ｄを有する。二つの変位規制部４６ｄは被挟持部４６ｃに対して外周側につば状に広がるように形成される。図３に示すように、ベースフレーム３２の挿入孔３２ｂから下カバー４６が抜けようとしたとき、下カバー４６の後側の変位規制部４６ｄがクリップ６６と接触し、かつ、クリップ６６がクリップ孔３２ｅの内壁面と接触する。これにより、クリップ６６は、下カバー４６の挿入孔３２ｂからの抜けを規制する。このように、クリップ６６は、ベースフレーム３２に対して下カバー４６を留める留め具として機能する。
【００５７】
図３に示すように、ヘッドホルダー３６の下カバー４６は、前述のクリップ６６及び弾性爪４２ｃによって、ベースフレーム３２に着脱可能に取り付けられる。ベースフレーム３２に対して下カバー４６が取付状態にあるとき、上カバー４８の後壁部５８ｄに対して後側には、ベースフレーム３２の挿入孔３２ｂを画定する壁部３２ｆの先端部が配置される。上カバー４８は、下カバー４６に対して分離不能位置から分離可能位置に向かう方向Ｂにスライドしようとしたとき、ベースフレーム３２の壁部３２ｆとの係合により、分離不能位置からのスライドがロックされる。つまり、上カバー４８は、ベースフレーム３２に対して下カバー４６が取付状態にあるとき、下カバー４６から分離不能にロックされる。これにより、下カバー４６をベースフレーム３２に取り付けるだけで、上カバー４８を分離不能位置にロックして、ハウジング４２を組み立てた状態を保持できる。
【００５８】
（ヘッドホルダー３６の内部部材）
次に、ヘッドホルダー３６の内部部材に関連する構成の詳細を説明する。
図６、図９、図１０に示すように、ハウジング４２の下カバー４６の前壁部５８ａには第１窓部となるセンサ窓部５８ｇが形成され、上カバー４８の上壁部５８ｂには第２窓部となる表示窓部５８ｈが形成される。センサ窓部５８ｇは前後方向Ｘに貫通する孔である。表示窓部５８ｈは上下方向Ｙに貫通するとともに前後方向Ｘに沿って長いスリット孔である。
【００５９】
センサ部材２０は、前述の通り、センサケースの内部にセンサ素子を収容して構成される。センサ部材２０の後面部には複数の第１配線５０（図６で単数のみ図示）が接続される。複数の第１配線５０はセンサ素子と制御ユニット２４（図２参照）とを電気的に接続する。複数の第１配線５０には、電力を供給するための電源線及びグランド線や、制御ユニット２４から制御信号を伝送するための信号線が含まれる。
【００６０】
図６に示すように、センサ部材２０は、ハウジング４２の空洞部５８内において前寄りの位置に配置される。下カバー４６のセンサ窓部５８ｇの一部はハウジング４２の前壁部５８ａから後方に突出するように筒状に形成される。センサ部材２０は、センサ部材２０の前端部に設けられ、センサ窓部５８ｇ内に嵌め込まれる第１嵌込部２０ａを有する（図５も参照）。センサ部材２０はセンサ窓部５８ｇの外側（図６中左側）を検知エリアとしている。センサ部材２０は、検知エリアに向けて第１嵌込部２０ａからセンサ窓部５８ｇを通して検知光を投射し、返り光を受光することにより、検知エリア内における被検知物の有無を検知する。
【００６１】
図１４は下カバー４６にセンサ部材２０や押さえ部材４４を取り付けた状態を示す上面図である。
図７、図１４に示すように、センサ部材２０は、下カバー４６の左右方向Ｚ両側の一対の縦壁部５８ｅ間において下壁部５８ｃ上に配置され、一対の縦壁部５８ｅに沿って前後方向Ｘにスライド可能である。また、センサ部材２０は、一対の縦壁部５８ｅに沿ってスライドさせることにより、その第１嵌込部２０ａを下カバー４６のセンサ窓部５８ｇ内に嵌め込み可能である。よって、下カバー４６にセンサ部材２０を取り付けるとき、センサ部材２０を一対の縦壁部５８ｅ間に配置できれば、センサ部材２０のスライドによりセンサ窓部５８ｇ内に第１嵌込部２０ａを嵌め込める。
【００６２】
図５、図６に示すように、押さえ部材４４は、軟質な第１配線５０、第２配線５２等と比べて硬質な樹脂等を素材として一体成形される。押さえ部材４４は、ハウジング４２の空洞部５８内において後寄りの位置に配置される。
【００６３】
図１５は図６のＤ−Ｄ線断面図である。
図５、図６、図１５に示すように、押さえ部材４４は、ハウジング４２の下壁部５８ｃの内面との間で第１配線５０を挟む押さえ壁部４４ａを有する。押さえ壁部４４ａは前後方向Ｘ及び左右方向Ｚに沿って延びる板状をなす。押さえ壁部４４ａは、表示部材２２と対向する上面が平坦に形成される。
【００６４】
図１６は図６のＥ−Ｅ線に沿って切断した下カバー４６及び押さえ部材４４の断面図である。
図５、図６、図１６に示すように、押さえ壁部４４ａは、ハウジング４２の下壁部５８ｃの内面と対向する下面に下壁部５８ｃに向けて突出する複数の第１圧入部４４ｂを有する。複数の第１圧入部４４ｂは、押さえ壁部４４ａの左右方向Ｚの両側部において、前後方向Ｘに間隔を空けて設けられる。
【００６５】
ハウジング４２の下壁部５８ｃには複数の第１圧入部４４ｂのそれぞれに一対一に対応する位置に第１被圧入部５８ｉが形成される（図１１も参照）。第１被圧入部５８ｉは、ハウジング４２の下壁部５８ｃを上下方向に貫通する孔である。押さえ部材４４の第１圧入部４４ｂは下カバー４６の第１被圧入部５８ｉ内に圧入（無理嵌め）されることにより、ハウジング４２の下カバー４６に対して着脱可能に取り付けられる。これにより、押さえ部材４４の押さえ壁部４４ａは、下カバー４６の下壁部５８ｃの内面や押さえ壁部４４ａの第１配線５０に対する接触を伴い、下壁部５８ｃの内面との間で第１配線５０を挟んだ状態で保持される。なお、第１圧入部４４ｂと第１被圧入部５８ｉとは、圧入し易くなるように、一方となる第１圧入部４４ｂが円形状に形成され、他方となる第１被圧入部５８ｉが多角形状に形成される。
【００６６】
図５、図６、図１４に示すように、押さえ部材４４は、押さえ壁部４４ａの前端部から立ち上がる立壁部４４ｃを有する。立壁部４４ｃは、センサ部材２０と表示部材２２との間に配置され、左右方向Ｚ及び上下方向Ｙに沿って延びる板状をなす。立壁部４４ｃにはセンサ部材２０がある前方に向けて突出する突設部４４ｄが設けられる。突設部４４ｄは立壁部４４ｃの左右方向Ｚの両側部のそれぞれに設けられる。
【００６７】
センサ部材２０は、センサ窓部５８ｇ内に第１嵌込部２０ａが嵌め込まれることにより、下カバー４６に対して左右方向Ｚ及び上下方向Ｙに相対位置が位置決めされる。また、押さえ部材４４の突設部４４ｄは、センサ部材２０の後面部に接触しており、その接触により、センサ窓部５８ｇからの第１嵌込部２０ａの抜けを規制するように、センサ部材２０の前後方向Ｘの相対位置を位置決めする。つまり、押さえ部材４４は、センサ部材２０の一部と接触することによって、下カバー４６のセンサ窓部５８ｇとの協働により、ハウジング４２に対してセンサ部材２０を固定している。
【００６８】
なお、図６、図７、図１０に示すように、上カバー４８の上壁部５８ｂの内面には、センサ部材２０の上面部と当接する当接部５８ｊが設けられている。センサ部材２０は、下カバー４６の下壁部５８ｃの内面と、上カバー４８の当接部５８ｊとの間に挟まれており、ハウジング４２に対する上下方向Ｙでの固定度が高められている。
【００６９】
図６に示すように、表示部材２２は、前述の通り、光源ケースの内部に複数の光源を収容して構成される。表示部材２２の後面部には複数の第２配線５２が接続される。複数の第２配線５２は光源と制御ユニット２４（図２参照）とを電気的に接続する。複数の第２配線５２には、電力を供給するための電源線及びグランド線や、制御ユニット２４から制御信号を伝送するための信号線が含まれる。
【００７０】
図５、図６、図１５に示すように、表示部材２２は、ハウジング４２の空洞部５８内において後寄りの位置に配置される。表示部材２２は上カバー４８の表示窓部５８ｈ内に嵌め込まれる第２嵌込部２２ａを有する。第２嵌込部２２ａは表示部材２２の上面から上側に突出するとともに前後方向Ｘに沿って延びる凸状に形成される。第２嵌込部２２ａは表示窓部５８ｈから上カバー４８の外部に露出する。表示部材２２は、第２嵌込部２２ａの発光により、吐水装置１２の動作状態を表示する。
【００７１】
表示部材２２は、左右方向Ｚ両側の側面部の上端寄りの位置に形成される一対の第２圧入部２２ｂを有する。第２圧入部２２ｂは上下方向Ｙに沿って延びる凸状に形成される。上カバー４８は、表示部材２２の一対の第２圧入部２２ｂそれぞれと左右方向Ｚに対向する位置に一対の第２被圧入部５８ｋが形成される（図１０も参照）。第２被圧入部５８ｋは上カバー４８の内面にて前後方向Ｘに沿って延びる凸状に形成される。表示部材２２の一対の第２圧入部２２ｂは、上カバー４８の一対の第２被圧入部５８ｋ間に弾性変形した状態で圧入され、その復元力により上カバー４８に対して保持される。
【００７２】
図１７は上カバー４８に表示部材２２が取り付けられた状態を示す側面断面図である。
表示部材２２は、上カバー４８の表示窓部５８ｈに対する第２嵌込部２２ａの嵌め込みと、上カバー４８の第２被圧入部５８ｋに対する第２圧入部２２ｂの圧入とにより、上カバー４８に取り付けられる。このとき、詳細は後述するが、表示部材２２の第２配線５２は上カバー４８の第２保持孔５６により保持された状態となる。
【００７３】
図６に示すように、表示部材２２は、表示窓部５８ｈに対する第２嵌込部２２ａの嵌め込みにより、上カバー４８に対して左右方向Ｚ及び前後方向Ｘに相対位置が位置決めされる。また、押さえ部材４４の押さえ壁部４４ａは、ハウジング４２が組立状態にあるとき、表示部材２２の下面に接触しており、その接触により、表示窓部５８ｈからの第２嵌込部２２ａの抜けを規制するように、表示部材２２の上下方向Ｙの相対位置を位置決めする。つまり、押さえ部材４４は、表示部材２２の一部と接触することによって、上カバー４８の表示窓部５８ｈとの協働により、ハウジング４２に対して表示部材２２を固定している。このとき、表示部材２２は、上カバー４８の上壁部５８ｂと押さえ部材４４の押さえ壁部４４ａとの間に挟まれた状態で固定されることになる。
【００７４】
図６、図１５に示すように、押さえ部材４４が下カバー４６に対して取付状態にあるとき、押さえ部材４４の押さえ壁部４４ａと下壁部５８ｃの内面との間には第１隙間空間６８が形成される。第１隙間空間６８は前後方向Ｘ及び左右方向Ｚに広がるように形成される。第１隙間空間６８の上下方向Ｙの内幅寸法は第１配線５０の外径寸法と同等の大きさに設定される。ここでの「同等」とは比較対象となる両者が完全に同一の場合と、ほぼ同一の場合との両方が含まれる。
【００７５】
図６、図１４に示すように、押さえ部材４４が下カバー４６に対して取付状態にあるとき、押さえ部材４４の立壁部４４ｃとセンサ部材２０との間には第２隙間空間７０が形成される。第２隙間空間７０は上下方向Ｙ及び左右方向Ｚに広がるとともに、第１隙間空間６８と連なるように形成される。
【００７６】
センサ部材２０の複数の第１配線５０は第２隙間空間７０と第１隙間空間６８を通るように配置される。複数の第１配線５０は左右方向Ｚに並べた状態でセンサ部材２０に接続され、第１隙間空間６８及び第２隙間空間７０のそれぞれを左右方向Ｚに並べた状態で配置される。第１配線５０は、下カバー４６と上カバー４８との間の隙間７２（後述する）を通して、ハウジング４２の空洞部５８から外部に引き出される。第２配線５２は、上カバー４８の第２保持孔５６を通して空洞部５８から外部に引き出される。これら第１配線５０と第２配線５２とは、ハウジング４２の空洞部５８内において分離した状態で配置される。
【００７７】
図１８はヘッドホルダー３６から上カバー４８を省略した状態を示す上面図である。
図５、図１８に示すように、押さえ部材４４は、表示部材２２に対して左右方向Ｚ両側に設けられる一対の位置決め部４４ｅを有する。位置決め部４４ｅは、押さえ部材４４の押さえ壁部４４ａから前寄りの部分から上側に突出する板状をなす。位置決め部４４ｅは、表示部材２２との接触により、下カバー４６に対して表示部材２２や上カバー４８を左右方向Ｚに位置決めする機能をもつ。
【００７８】
以上のヘッドホルダー３６の作用効果を説明する。
ヘッドホルダー３６は、ハウジング４２の空洞部５８の内面との間で第１配線５０を挟んだ状態で保持される押さえ部材４４を備える。よって、ハウジング４２の組み立て時、押さえ部材４４によって第１配線５０の位置ずれを抑えることで、下カバー４６と上カバー４８との間での第１配線５０の噛み込みを防止できる。
【００７９】
また、第１配線５０の噛み込みを防止できるため、ハウジング４２の組み立て時、第１配線５０の位置ずれ量を小さくするための位置調整作業が不要となり、ハウジング４２の組み立て性が良好になる。
【００８０】
また、ハウジング４２の組み立て時、押さえ部材４４によって第１配線５０の位置ずれを防止することで、表示部材２２等の他部材との干渉を防止でき、ヘッドホルダー３６の組み立て性が良好になる。
【００８１】
また、押さえ部材４４は、センサ部材２０と接触することにより、ハウジング４２に対してセンサ部材２０を固定している。よって、センサ部材２０を固定する機能を押さえ部材４４に持たせることができ、センサ部材２０を固定するための他部材が不要となり、ヘッドホルダー３６の部品点数を抑えられる。また、下カバー４６に押さえ部材４４を取り付けるだけで、下カバー４６に押さえ部材４４とともにセンサ部材２０を固定でき、ヘッドホルダー３６を簡易に組み立てられる。
【００８２】
また、表示部材２２は、押さえ部材４４の押さえ壁部４４ａ上に載せた状態で固定される。よって、センサ部材２０の第１配線５０上のスペースを表示部材２２用の配置空間として利用でき、他の箇所に表示部材２２を配置するよりも、ハウジング４２の空洞部５８を小型化し易くなる。
【００８３】
また、センサ部材２０の第１配線５０上に表示部材２２を配置するうえで、第１配線５０上に直接に表示部材２２を載せる場合、第１配線５０が通常は円形状であるうえ、第１配線５０が位置ずれし易いことから、表示部材２２の支持状態が不安定になる。この点、本実施形態によれば、押さえ部材４４の押さえ壁部４４ａ上に載せた状態で表示部材２２が固定されるため、第１配線５０上に表示部材２２を直接に載せるよりも表示部材２２の支持状態が安定し、表示部材２２の固定度を高められる。
【００８４】
また、ハウジング４２の組み立て時、上カバー４８に取り付けられた表示部材２２を押さえ部材４４の押さえ壁部４４ａ上でスライドさせることができる。よって、位置ずれし易い第１配線５０上でスライドさせるよりも、表示部材２２をスムーズにスライドさせることができ、ハウジング４２の組み立て性が良好となる。特に、配線は、通常、軟質な樹脂等で表皮層が構成されている。よって。軟質な第１配線５０よりも、硬質な押さえ部材４４の平坦な面の方が、表示部材２２をスムーズにスライドさせることができ、この点からも、ハウジング４２の組み立て性が良好となる。
【００８５】
また、押さえ部材４４は、表示部材２２との接触により、表示部材２２を左右方向Ｚに位置決めする一対の位置決め部４４ｅを有する。よって、一対の位置決め部４４ｅ間に表示部材２２を配置するだけで、押さえ部材４４や下カバー４６に対して左右方向Ｚに表示部材２２を位置決めでき、押さえ部材４４や下カバー４６に対する表示部材２２や上カバー４８の左右方向Ｚでの位置ずれを容易に防止できる。
【００８６】
また、第１配線５０と第２配線５２は、ハウジング４２の空洞部５８内において分離した状態で配置されている。よって、センサ部材２０や表示部材２２のメンテナンスや交換にあたり、第１配線５０と第２配線５２の絡まりをほどく作業をせずに単一の部材を取り扱い易くなり、良好な作業性を得られる。
【００８７】
また、押さえ部材４４の第１圧入部４４ｂは下カバー４６の第１被圧入部５８ｉ内に圧入されることにより、下カバー４６に着脱可能に取り付けられる。よって、下カバー４６に押さえ部材４４を簡易に着け外しできるようになり、ヘッドホルダー３６の組み立て、組み直しを簡易にできるようになる。
【００８８】
なお、下カバー４６及び上カバー４８は、ハウジング４２を組み立てるとき、前述の通り、下カバー４６に対して上カバー４８が前側（第１側）にスライド可能に構成されている。ここで、押さえ部材４４の一対の位置決め部４４ｅは、上カバー４８のスライド方向となる前後方向Ｘと直交する左右方向Ｚの両側に設けられる。よって、表示部材２２は、下カバー４６に対して上カバー４８を前側にスライドさせるだけで、押さえ部材４４の一対の位置決め部４４ｅ間に配置可能であり、下カバー４６に対する上カバー４８の左右方向Ｚでの固定度を容易に高められる。良好な組み立て性を得る観点から、上カバー４８と下カバー４６との間でスムーズなスライドを許容するための左右方向Ｚでの大きめのクリアランスを確保する場合がある。この場合でも、一対の位置決め部４４ｅにより左右方向Ｚでの固定度を高められる点で大きな利点がある。
【００８９】
また、図１１に示すように、ヘッドホルダー３６の空洞部５８の下壁部５８ｃには水抜き孔５８ｍが形成される。水抜き孔５８ｍは、下壁部５８ｃの前壁部５８ａ寄りの一部分に左右方向Ｚに複数並んで形成される。詳しくは、図３に示すように、水抜き孔５８ｍは、ベースフレーム３２にヘッドホルダー３６が取付状態にあるとき、鉛直下側にある空洞部５８の壁部の一部分（下壁部５８ｃの前壁部５８ａ寄りの一部分）に形成される。これにより、ヘッドホルダー３６の空洞部５８内に水が浸入したときでも、ヘッドホルダー３６の水抜き孔５８ｍを通して外部に水を排出できる。
【００９０】
（第１保持孔及び第２保持孔）
次に、第１保持孔５４及び第２保持孔５６に関連する構成の詳細を説明する。
図６、図９に示すように、下カバー４６の下壁部５８ｃは、ハウジング４２の空洞部５８を画定する他の壁部（上壁部５８ｂ、後壁部５８ｄ）よりも後方に延び出る延出部４６ｅを有する。下カバー４６の下壁部５８ｃの後部には、延出部４６ｅを含む範囲に、前後方向Ｘに沿って延びる溝部４６ｆが形成される。
【００９１】
図１９は図６のＦ−Ｆ線断面図である。
図６、図１９に示すように、下カバー４６の下壁部５８ｃの溝部４６ｆと上カバー４８の後壁部５８ｄとの間には隙間７２が形成される。センサ部材２０の第１配線５０は隙間７２を通して空洞部５８から外部に引き出される。第１配線５０は溝部４６ｆに沿って敷設されるように配置される
【００９２】
図８、図９に示すように、下カバー４６は、上カバー４８の後壁部５８ｄに対して後方であって、ホース挿通部４２ａの後端部に対して上方に設けられる第１保持壁部７４（以下、下保持壁部７４という）を有する。下保持壁部７４は、下カバー４６の上側に面する箇所に設けられる。下保持壁部７４は、前述の延出部４６ｅの後端部に接続され、下保持壁部７４とホース挿通部４２ａとの間には板状の縦壁部４２ｄが接続される。下保持壁部７４は、前述の被挟持部４６ｃ、二つの変位規制部４６ｄを備えている。
【００９３】
図２０は図６のＧ−Ｇ線端面図である。
図６、図９、図２０に示すように、下カバー４６の下保持壁部７４には前後方向Ｘに沿って延びる第１保持孔５４（以下、下保持孔５４という）が形成される。下保持孔５４には複数の第１配線５０が挿通される。下保持孔５４は第１配線５０の挿通方向（前後方向Ｘ）と交差する上下方向Ｙの上側に第１開放口５４ａ（以下、下開放口５４ａという）を有する開断面形状である。下保持孔５４は、下開放口５４ａ側に設けられる入口部５４ｂと、入口部５４ｂより奥側に設けられる奥部５４ｃとを有する。入口部５４ｂは矩形状をなし、奥部５４ｃは円形状をなし、下保持孔５４は全体として鍵穴状をなす。複数の第１配線５０は下保持孔５４に挿通されることで、下保持孔５４により保持される。
【００９４】
図６、図１０、図２０に示すように、上カバー４８は、後壁部５８ｄより後側に突出する第２保持壁部７６（以下、上保持壁部７６という）を有する。上保持壁部７６は前後方向Ｘに沿って延びる長尺状に形成される。上保持壁部７６には前後方向Ｘに沿って延びる第２保持孔５６（以下、上保持孔５６という）が形成される。上保持孔５６には複数の第２配線５２が挿通され、複数の第２配線５２は上保持孔５６を通して空洞部５８から外部に引き出される。
【００９５】
図２０に示すように、上保持孔５６は第２配線５２の挿通方向（前後方向Ｘ）と交差する上下方向Ｙの下側に第２開放口５６ａ（以下、上開放口５６ａともいう）を有する開断面形状である。上保持孔５６は、上開放口５６ａ側に設けられる入口部５６ｂと、入口部５６ｂより奥側に設けられる奥部５６ｃとを有する。入口部５６ｂは矩形状をなし、奥部５６ｃは円形状をなし、上保持孔５６は全体として鍵穴状をなす。
【００９６】
上保持孔５６の奥部５６ｃは複数の第２配線５２を挿通可能な大きさに形成される。上保持孔５６の入口部５６ｂは、複数の第２配線５２の上保持孔５６からの抜けを規制するため、第２配線５２の外径寸法以下の大きさの内幅寸法に形成される。複数の第２配線５２は、上保持孔５６の奥部５６ｃに挿通されることで、上保持孔５６により保持される。
【００９７】
下保持孔５４は上側に下開放口５４ａを有し、上保持孔５６は下側に上開放口５６ａを有し、下保持孔５４と上保持孔５６とは下開放口５４ａと上開放口５６ａとを上下方向Ｙに向かい合わせた状態で配置される。上保持壁部７６は、下保持孔５４の下開放口５４ａを閉じるように配置される。本実施形態の上保持壁部７６は、下保持孔５４の入口部５４ｂを塞ぐように入口部５４ｂ内に嵌め込まれることで、下保持孔５４の下開放口５４ａを閉じている。また、下保持壁部７４は、上保持孔５６の上開放口５６ａを閉じるように配置される。本実施形態の下保持壁部７４は、上保持孔５６の外側において上開放口５６ａを取り囲むように配置されることで上開放口５６ａを閉じている。
【００９８】
以上のヘッドホルダー３６の作用効果を説明する。
センサ部材２０の第１配線５０は下保持孔５４により保持され、表示部材２２の第２配線５２は上保持孔５６に保持されるため、第１配線５０と第２配線５２とを分離させた状態に維持できる。よって、ハウジング４２の外部での他物体との干渉や、運搬時の振動によって、ハウジング４２の外部で各配線５０、５２が位置ずれしても、ハウジング４２の内部での各配線５０、５２同士の絡まりを防止できる。これにより、各電子部品（センサ部材２０、表示部材２２）のメンテナンスや交換にあたり、各配線５０、５２の絡まりをほどく作業をせずに単一の電子部品を取り扱い易くなり、良好な作業性を得られる。
【００９９】
また、下保持孔５４は下カバー４６に形成され、上保持孔５６は上カバー４８に形成されるため、ハウジング４２を上カバー４８と下カバー４６とに分離させたとき、センサ部材２０の第１配線５０と表示部材２２の第２配線５２とも併せて分離できる。よって、各電子部品のメンテナンスや交換にあたり、第１配線５０と第２配線５２とを分離させた状態で作業でき、その作業中の各配線５０、５２の絡まりを防止することで、より良好な作業性を得られる。
【０１００】
また、第１配線５０は下保持孔５４により保持され、第２配線５２は上保持孔５６により保持されるため、第１配線５０や第２配線５２を定位置に配置した状態を維持し易くなるよって、ハウジング４２の組み立て時において、下カバー４６と上カバー４８との間に各配線５０、５２を噛み込み難くすることで、良好な作業性を得られる。
【０１０１】
また、下保持孔５４は第１配線５０の挿通方向と交差する方向に下開放口５４ａを有する。よって、下保持孔５４の第１開放口５４ａから奥側に向けて第１配線５０を動かすだけで、下保持孔５４内に第１配線５０を挿通した状態にでき、下保持孔５４に第１配線５０を組み付け易くなる。
【０１０２】
また、上保持壁部７６は下保持孔５４の下開放口５４ａを閉じるように配置される。よって、下保持孔５４に第１配線５０を組み付け易くしつつも、下保持孔５４の下開放口５４ａからの第１配線５０の抜け出しを上保持壁部７６により防止できる。
【０１０３】
また、上保持孔５６は第２配線５２の挿通方向と交差する方向に上開放口５６ａを有する。よって、上保持孔５６の第２開放口から奥側に向けて第２配線５２を押し込むように動かすだけで、上保持孔５６内に第２配線５２を挿通した状態にでき、上保持孔５６に第２配線５２を組み付け易くなる。
【０１０４】
また、下保持壁部７４は上保持孔５６の上開放口５６ａを閉じるように配置される。よって、上保持孔５６に第２配線５２を組み付け易くしつつも、上保持孔５６の上開放口５６ａからの第２配線５２の抜け出しも下保持壁部７４により防止できる。
【０１０５】
次に、第１保持孔５４及び第２保持孔５６に関連する他の特徴を説明する。
図２０に示すように、下保持孔５４の入口部５４ｂは左右方向Ｚに対向する一対のガイド面５４ｄを有する。一対のガイド面５４ｄは、下カバー４６及び上カバー４８の分離方向となる上下方向Ｙに沿って平坦に延びるように形成される。上保持壁部７６は一対のガイド面５４ｄのそれぞれと左右方向Ｚに対向する一対の被ガイド面７６ａを有する。一対の被ガイド面７６ａも上下方向Ｙに沿って平坦に延びるように形成される。
【０１０６】
ハウジング４２を組み立て又は分解するために、下カバー４６及び上カバー４８を上下方向Ｙに相対移動させるとき、上カバー４８の被ガイド面７６ａは下カバー４６のガイド面５４ｄに沿ってスライドする。下カバー４６のガイド面５４ｄは、上カバー４８の被ガイド面７６ａがスライドすることにより、下カバー４６に対する上カバー４８の上下方向Ｙでの相対移動をガイドできる。
【０１０７】
ハウジング４２を組み立てるとき、まず、互いに分離している下カバー４６及び上カバー４８の向きを合わせ、下カバー４６の下保持孔５４のガイド面５４ｄに上カバー４８の上保持壁部７６を当てるように、下カバー４６及び上カバー４８を相対移動させる。この後、下カバー４６のガイド面５４ｄに沿って上カバー４８の上保持壁部７６を上下方向Ｙにスライドさせることで、上カバー４８及び下カバー４６を分離可能位置まで相対移動させることができる。この後、上カバー４８及び下カバー４６を分離可能位置から分離不能位置まで動かすことで、ハウジング４２の組み立てが完了する。
【０１０８】
このように、下カバー４６のガイド面５４ｄに上カバー４８の上保持壁部７６を当てさえすれば、下カバー及び上カバー４８を分離可能位置まで相対移動させ易くなる。よって、ハウジング４２の組み立て時、より良好な作業性を得られるようになる。
【０１０９】
なお、前述のハウジング４２を組み立ては、次の前工程を経てから行われる。まず、下カバー４６にセンサ部材２０を取り付けるとともに、センサ部材２０の第１配線５０を下カバー４６の下保持孔５４内に挿通する。さらに、下カバー４８の下壁部５８ｃの内面との間で第１配線５０を挟むように、押さえ部材４４を下カバー４８に取り付ける。これら工程と前後して、上カバー４８に表示部材２２を取り付けるとともに、表示部材２２の第２配線５２を上カバー４８の第２保持孔５６内に挿通させる。この後、前述のハウジング４２の組み立てを行う。
【０１１０】
また、前述のヘッドホルダー３６の取付構造６４は、第１保持孔５４及び第２保持孔５６との関係で、次の特徴もある。図１３を参照する。クリップ６６は、前述の通り、下カバー４６の被挟持部４６ｃを挟み込むように配置される。このクリップ６６は、下カバー４６の下保持孔５４との間で第１配線５０及び第２配線５２を挟む位置に配置される。
【０１１１】
これにより、第１配線５０や第２配線５２が下保持孔５４の下開放口５４ａから抜け出ようと変位したとき、クリップ６６との接触によって、第１配線５０、第２配線５２の抜け出しを防止できる。よって、ベースフレーム３２に下カバー４６を留める機能の他に、第１配線５０、第２配線５２を定位置に保持する機能をクリップ６６に持たせられる。
【０１１２】
以上、実施の形態に基づき本発明を説明したが、実施の形態は、本発明の原理、応用を示すにすぎない。また、実施の形態には、請求の範囲に規定された本発明の思想を逸脱しない範囲において、多くの変形例や配置の変更が可能である。
【０１１３】
水栓装置１０は洗面台１００に用いられる例を説明したが、その用途はこれに限定されない。水栓装置１０は、例えば、キッチン、手洗器、浴室等に用いられてもよいし、建物の他にも船舶等に用いられてもよい。また、水栓装置１０の設置面はバックガード１０６である例を説明したが、キャビネット１０４を設置面としてもよいし、これら両方を設置面としてもよい。
【０１１４】
ヘッドホルダー３６は、本発明の適用の対象となる水栓部品の例として説明した。この水栓部品は、これに限定されるものではなく、たとえば、吐水ヘッド３８、吐水管等を適用の対象としてもよい。ちなみに、ヘッドホルダー３６及び吐水ヘッド３８のいずれかが水栓部品となる場合、いずれのハウジングも給水ホース４０の挿通孔（ホース挿通孔３６ａ）がある点で共通する。
【０１１５】
また、水栓部品の取付相手となるベースとしてベースフレーム３２を例に説明した。ベースは、これに限定されず、たとえば、洗面台、手洗鉢、シンク等の水回り機器でもよい。
【０１１６】
（ハウジング）
実施形態では、請求の範囲に記載の第１分割部材が下カバー４６であり、第２分割部材が上カバー４８である例を説明した。そして、第１分割部材となる下カバー４６にスライドガイド部６２が設けられたり、下カバー４６がベースフレーム３２に取り付けられる例を説明した。これに限られず、第１分割部材が上カバー４８であり、第２分割部材が下カバー４６であってもよい。つまり、第１分割部材となる上カバー４８にスライドガイド部６２が設けられたり、上カバー４８がベースフレーム３２に取り付けられてもよい。また、第１分割部材及び第２分割部材が上下方向Ｙに対向する下カバー４６及び上カバー４８である例を説明したが、左右方向Ｘに対向する左カバー及び右カバーでもよい。つまり、第１分割部材及び第２分割部材は、スライド方向Ｚを一つの方向軸とする３軸直交系において、他の方向軸（左右方向Ｘ、上下方向Ｙ）の何れかに対向していてもよい。
【０１１７】
スライドガイド部６２は複数ある例を説明したが、その数は特に限定されない。また、複数のスライドガイド部６２は第１分割部材（下カバー４６）の左右方向の両側部に設けられ、かつ、スライド方向Ｘに複数設けられる例を説明したが、その配置態様は特に限定されない。たとえば、第１分割部材の左右方向の中央部に単数又は複数設けられてもよいし、左右方向の一方の側部にのみ単数又は複数設けられてもよい。
【０１１８】
スライドガイド部６２の第１ガイド面６２ａは、前後方向Ｘに隣接する他のスライドガイド部６２の第１ガイド面６２ａと連なるように形成される例を説明したが、これらは連ならないように離れて形成されてもよい。スライドガイド部６２の第２ガイド面６２ｂも同様である。
【０１１９】
第２分割部材（上カバー４８）は、ベースフレーム３２との係合により、分離不能位置からのスライドがロックされる例を説明した。この係合相手となる他部材は特に限定されず、たとえば、クリップ６６でもよい。
【０１２０】
（水栓部品の内部部品）
ハウジング４２の空洞部５８内に配置される第１電子部品の例としてセンサ部材２０を説明し、第２電子部品の例として表示部材２２を説明した。この電子部品は配線が接続されるものであればよく、これらに特に限定されるものではない。たとえば、第１電子部品、第２電子部品の両方がセンサ部材や表示部材でもよいし、発音素子を内蔵した発音部材等でもよい。また、ハウジング４２の空洞部５８内には二つの電子部品が配置される例を説明したが、単一の電子部品のみが配置されてもよいし、三つ以上の電子部品が配置されてもよい。
【０１２１】
押さえ部材４４は、ハウジング４２の空洞部５８の内面との間で第１配線５０を挟んだ状態で保持されていればよい。押さえ部材４４と空洞部５８の内面との間で第１配線５０を挟むにあたり、実施形態のように、押さえ部材４４や空洞部５８の内面の第１配線５０に対する接触は必須とはならない。あくまで、押さえ部材４４は、空洞部５８の内面との間で第１配線５０を挟んだ位置に配置された状態で保持されていればよい。また、押さえ部材４４は、たとえば、第１電子部品との接触により、ハウジング４２に対して第１電子部品を固定していなくともよいし、一対の位置決め部４４ｅがなくともよい。
【０１２２】
また、押さえ部材４４の一対の位置決め部４４ｅは、第２電子部品（表示部材２２）に対して左右方向Ｚの両側に設けられる例を説明した。一対の位置決め部４４ｅが第２電子部品を位置決めする方向は左右方向に限定されず、前後方向Ｘに位置決めしてもよい。つまり、一対の位置決め部４４ｅは、第２電子部品との接触により、第２電子部品を一方向（左右方向Ｚ又は前後方向）に位置決めしていてもよい。
【０１２３】
（第１保持孔及び第２保持孔）
第１保持孔５４（下保持孔５４）、第２保持孔５６（上保持孔５６）の形状は、その内側に挿通される第１配線５０、第２配線５２を保持できる形状であればよく、その具体的な形状は特に限定されない。たとえば、第１保持孔５４は第１開放口５４ａを有する開断面形状である例を説明したが、第１配線５０の挿通方向の両側にのみ開口する閉断面形状でもよい。また、第１保持孔５４は入口部５４ｂよりも内幅寸法の大きい奥部５４ｃを有する例を説明したが、入口部５４ｂと奥部５４ｃとは同等の内幅寸法であってもよい。第２保持孔５６も同様である。
【０１２４】
第２保持壁部７６（上保持壁部７６）は第１保持孔５４の第１開放口５４ａを閉じるように配置される例を説明したが、これに限定されない。同様に、第１保持壁部７４は第２保持孔５６の第２開放口５６ａを閉じるように配置される例を説明したが、これに限定されない。
【０１２５】
第１保持孔５４は、第２分割部材の第２保持壁部７６がスライドすることにより、第１分割部材及び第２分割部材の上下方向Ｙの相対移動をガイドするガイド面５４ｄを有する例を説明した。このガイド面５４ｄをスライドする第２分割部材の一部として第２保持壁部７６を説明したが、これには限定されず、他の部位がスライドしてもよい。
【０１２６】
留め具（クリップ６６）は、第１分割部材（下カバー４６）の第１保持孔５４との間で第１配線５０及び第２配線５２を挟む位置に配置される例を説明した。留め具は、第１分割部材４６の一部との間で第１配線５０及び第２配線５２を挟む位置に配置されていればよく、留め具と第１保持孔５４との間で挟むことを必須とするものではない。また、留め具はベースに対して第１分割部材を留められればよく、留め具の配置位置は特に限定されない。
【０１２７】
以上の実施形態、変形例により具体化される発明を一般化すると、以下の技術的思想が導かれる。以下、発明が解決しようとする課題に記載の態様を用いて説明する。
【０１２８】
第２態様の水栓部品は、第１態様において、前記第１分割部材と前記第２分割部材との間には空洞部が形成され、前記空洞部内から引き出される配線が接続され、前記空洞部内に配置される電子部品を備えてもよい。
この態様によれば、第１分割部材と第２分割部材との間に配線が噛み込まれた場合、第１分割部材及び第２分割部材を分離可能位置から分離不能位置にスライドさせるときに、配線が抵抗となるため、配線の噛み込みに気づき易くなる。よって、第１分割部材と第２分割部材との間に配線が噛み込まれたまま、ハウジングが誤って組み立てられてしまう事態を防止できる。
【０１２９】
第３態様の水栓部品は、第１態様又は第２態様において、前記第１分割部材と前記第２分割部材とは、互いの内面を上下方向に対向して配置され、前記第１分割部材は、前記第２分割部材の一部を前記スライド方向に沿ってスライドさせる複数のスライドガイド部を有し、前記スライド方向から見て前記上下方向と直交する方向を左右方向としたとき、前記複数のスライドガイド部は、前記第１分割部材の左右方向の両側部に設けられてもよい。
この態様によれば、第１分割部材と第２分割部材の間でのスライド方向軸周りのガタつきを抑え易くなり、第１分割部材と第２分割部材との固定度を高められる。
【０１３０】
第４態様の水栓部品は、第１態様から第３態様のいずれかにおいて、前記第１分割部材は、前記第２分割部材の一部を前記スライド方向に沿ってスライドさせるスライドガイド部を有し、前記スライドガイド部は、前記スライド方向に複数設けられてもよい。
この態様によれば、第１分割部材及び第２分割部材の分離可能位置から分離不能位置までのスライド距離を小さくしつつ、第１分割部材のスライドガイド部と第２分割部材の一部との接触面積を確保し易くなる。よって、第１分割部材及び第２分割部材のスライド距離を短くすることにより組み立て時の作業性を高めつつ、第１分割部材と第２分割部材の接触面積の確保により、第１分割部材と第２分割部材との固定度を高められる。
【０１３１】
本発明の他の態様は水栓部品の取付構造である。第１態様の水栓部品の取付構造は、前述の各態様の水栓部品と、前記第１分割部材が着脱可能に取り付けられるベースと、を備え、前記第２分割部材は、前記ベースに対して前記第１分割部材が取付状態にあるとき、前記分離不能位置からのスライドが他部材との係合によりロックされる。
この態様によれば、第１分割部材をベースに取り付けるだけで、第２分割部材を分離不能位置にロックして、ハウジングを組み立てた状態に保持できる。
【符号の説明】
【０１３２】
２０…センサ部材（第１電子部品）、２２…表示部材（第２電子部品）、３２…ベースフレーム（ベース）、３６…ヘッドホルダー（水栓部品）、４２…ハウジング、４４…押さえ部材、４４ｅ…位置決め部、４６…下カバー（第１分割部材）、４８…上カバー（第２分割部材）、５０…第１配線、５２…第２配線、５４…下保持孔（第１保持孔）、５４ｄ…ガイド面、５６…上保持孔（第２保持孔）、５８…空洞部、６２…スライドガイド部、６４…取付構造、６６…クリップ（留め具）、７４…下保持壁部（第１保持壁部）、７６…上保持壁部（第２保持壁部）。
【図１】
0006659375.tif 000002
【図２】
0006659375.tif 000003
【図３】
0006659375.tif 000004
【図４】
0006659375.tif 000005
【図５】
0006659375.tif 000006
【図６】
0006659375.tif 000007
【図７】
0006659375.tif 000008
【図８】
0006659375.tif 000009
【図９】
0006659375.tif 000010
【図１０】
0006659375.tif 000011
【図１１】
0006659375.tif 000012
【図１２】
0006659375.tif 000013
【図１３】
0006659375.tif 000014
【図１４】
0006659375.tif 000015
【図１５】
0006659375.tif 000016
【図１６】
0006659375.tif 000017
【図１７】
0006659375.tif 000018
【図１８】
0006659375.tif 000019
【図１９】
0006659375.tif 000020
【図２０】
0006659375.tif 000021